(57)【要約】【課題】被記録媒体が誤った向きに装着されることを防止する。【解決手段】被記録媒体４０は、感熱テープ４２と、アテンションシート４４とを備える。感熱テープ４２は、中空部分４２Ａを有するように巻かれている。アテンションシート４４は、感熱テープ４２の中空部分４２ａの内径よりも直径が小さな開口部４４ａを有し、開口部４４ａが感熱テープ４２の中空部分４２ａに対向するように感熱テープ４２の側面の一方に貼り付けられる。【選択図】図４
2019142635.tif 000002
【特許請求の範囲】
【請求項１】
中空部分を有するように巻かれているテープと、
前記テープの前記中空部分の内径よりも直径が小さい第１の開口部を有し、前記第１の開口部が前記テープの前記中空部分に対向するように前記テープの側面の一方に貼り付けられた第１の粘着シートと、を備える
ことを特徴とする被記録媒体。
【請求項２】
請求項１に記載の被記録媒体において、
前記第１の粘着シートの面積は、前記側面の面積よりも小さい
ことを特徴とする被記録媒体。
【請求項３】
請求項１または２に記載の被記録媒体において、さらに、
前記テープの前記中空部分に設けられ、前記テープが巻きつけられた筒部材を備え、
前記第１の開口部の前記直径は、前記筒部材の前記中空部分の内径よりも小さい
ことを特徴とする被記録媒体。
【請求項４】
請求項１乃至３の何れか一項に記載の被記録媒体において、さらに、
前記テープの前記中空部分の前記内径の大きさ以上の直径を有する第２の開口部を有し、前記第２の開口部が前記テープの前記中空部分に対向するように前記側面の他方に貼り付けられた第２の粘着シートを備える
ことを特徴とする被記録媒体。
【請求項５】
請求項１に記載の被記録媒体を収容するための媒体アダプタであって、
前記媒体アダプタに収容された前記被記録媒体が有する前記テープの前記中空部分に挿通される突出部を備え、
前記突出部は、
前記テープの前記中空部分の前記内径よりも小さく、且つ前記第１の開口部の前記直径よりも大きな外径の第１の突出部を有する
ことを特徴とする媒体アダプタ。
【請求項６】
請求項５に記載の媒体アダプタであって、
前記突出部は更に、
前記第１の突出部の先端面から延出した、前記第１の開口部の前記内径よりも小さな外径の第２の突出部を有する
ことを特徴とする媒体アダプタ。
【請求項７】
請求項６に記載の媒体アダプタにおいて、
底面を基準とした前記第１の突出部の高さは、前記テープの幅よりも低く、
前記底面を基準とした前記第２の突出部の高さは、前記テープの幅よりも高い
ことを特徴とする媒体アダプタ。
【請求項８】
請求項７に記載の媒体アダプタにおいて、
前記媒体アダプタは、予め決められた複数の幅のテープのうちの第１の幅のテープを収容するための媒体アダプタであり、
前記第１の突出部の高さは、前記第１の幅よりも短い第２の幅であって前記複数の幅に含まれる前記第２の幅よりも高い
ことを特徴とする媒体アダプタ。
【発明の詳細な説明】
【技術分野】
【０００１】
本明細書の開示は、被記録媒体、及び、媒体アダプタに関する。
【背景技術】
【０００２】
従来から、長手方向に巻かれてロール形状を有した被記録媒体に文字、図形等を印刷してラベルを作成するラベルプリンタが知られている。
【０００３】
特許文献１には、被記録媒体を収容するラベルプリンタが記載されている。特許文献２には、被記録媒体を収容したテープカートリッジを収容するラベルプリンタが記載されている。
【先行技術文献】
【特許文献】
【０００４】
【特許文献１】特開２０１２−１７９８８２号公報
【特許文献２】特開２０１４−０２８４４８号公報
【発明の概要】
【発明が解決しようとする課題】
【０００５】
ところで、ラベルプリンタに使用される被記録媒体には、幅、印刷面の色などの違いによって様々な種類のものが存在する。ユーザは、用途や好みに応じて選択した被記録媒体をユーザ自身で印刷装置に装着することで、種類の異なる複数の被記録媒体を使い分けることができる。
【０００６】
しかしながら、ロール形状を有する従来の被記録媒体では、ユーザが誤った向きに被記録媒体を装着してしまうことがある。
【０００７】
以上のような実情を踏まえ、本発明の一側面に係る目的は、被記録媒体が誤った向きに装着されることを防止する技術を提供することである。
【課題を解決するための手段】
【０００８】
本発明の一態様に係る被記録媒体は、中空部分を有するように巻かれているテープと、前記テープの前記中空部分の内径よりも直径が小さい第１の開口部を有し、前記第１の開口部が前記テープの前記中空部分に対向するように前記テープの側面の一方に貼り付けられた第１の粘着シートと、を備える。
【０００９】
本発明の一態様に係る媒体アダプタは、上記の一態様に係る被記録媒体を収容するための媒体アダプタであって、前記媒体アダプタに収容された前記被記録媒体が有する前記テープの前記中空部分に挿通される突出部を備え、前記突出部は、前記テープの前記中空部分の前記内径よりも小さく、且つ前記第１の開口部の前記直径よりも大きな外径の第１の突出部を有する。
【発明の効果】
【００１０】
上記の態様によれば、被記録媒体が誤った向きに装着されることを防止することができる。
【図面の簡単な説明】
【００１１】
【図１】蓋４を閉じた状態における印刷装置１の平面図である。
【図２】蓋４を開けた状態における印刷装置１の平面図である。
【図３】媒体アダプタ１０の斜視図である。
【図４】被記録媒体４０の構成を説明するための図である。
【図５】感熱テープ４２の構成を説明するための図である。
【図６】アダプタ本体２０の斜視図である。
【図７】アダプタ本体２０の平面図である。
【図８】アダプタ本体２０の断面図である。
【図９】アテンションシート４４を上に向けた状態における被記録媒体４０の断面図である。
【図１０】バラけ防止シート４３を上に向けた状態における被記録媒体４０の断面図である。
【図１１】アダプタ本体５０の断面図である。
【図１２】アダプタ本体６０の断面図である。
【図１３】アダプタ本体７０の断面図である。
【図１４】感熱テープ４２がある程度消費された状態における被記録媒体８０の斜視図である。
【図１５】バラけ防止シート８３の平面図である。
【図１６】バラけ防止シート８３側から見た被記録媒体８０の平面図である。
【図１７】バラけ防止シート８３の一部を切り取る様子を示した図である。
【図１８】バラけ防止シート９３の平面図である。
【図１９】バラけ防止シート１０３の平面図である。
【図２０】バラけ防止シート１１３の平面図である。
【図２１】バラけ防止シート１２３の平面図である。
【発明を実施するための形態】
【００１２】
図１は、蓋４を閉じた状態における印刷装置１の平面図である。図２は、蓋４を開けた状態における印刷装置１の平面図である。以下、図１及び図２を参照しながら、印刷装置１の構成について説明する。
【００１３】
印刷装置１は、被記録媒体４０が有する感熱テープ４２に印刷を行うラベルプリンタである。以降では、感熱テープ４２を使用する感熱方式のラベルプリンタを例にして説明するが、印刷方式は特に限定されない。印刷装置１は、インクリボンを使用する熱転写方式のラベルプリンタであってもよい。また、ラベルプリンタである印刷装置１は、サーマルプリンタに限らない。例えば、インクジェットプリンタ、レーザプリンタなどであってもよい。また、印刷装置１は、シングルパス（ワンパス）方式で印刷を行ってもよく、マルチパス（スキャン）方式で印刷を行ってもよい。
【００１４】
印刷装置１は、図１に示すように、装置筐体２と、入力部３と、開閉自在な蓋４と、窓５と、表示部６と、を備えている。また、図示しないが、装置筐体２には、電源コード接続端子、外部機器接続端子、記憶媒体挿入口等が設けられている。
【００１５】
入力部３は、装置筐体２の上面に設けられている。入力部３は、入力キー、十字キー、変換キー、決定キーなどの種々のキーを備える。蓋４は、装置筐体２上に配置されている。利用者は、ボタン４ａを押下してロック機構を解除することで、図２に示すように、蓋４を開けることができる。蓋４には、蓋４が閉じた状態でも印刷装置１に被記録媒体４０が収容されているか否かを目視で確認可能とするために、窓５が形成されている。また、蓋４は、表示部６を有している。
【００１６】
表示部６は、例えば、液晶ディスプレイ、有機ＥＬ（electro-luminescence）ディスプレイなどである。表示部６は、入力部３からの入力に対応する文字等、各種設定のための選択メニュー、各種処理に関するメッセージ等、を表示する。なお、表示部４はタッチパネル付きのディスプレイであってもよく、入力部３の一部として機能しても良い。
【００１７】
装置筐体２は、図２に示すように、蓋４の下方に、媒体アダプタ収容部２ａと、プラテンローラ７と、サーマルヘッド８を備えている。媒体アダプタ収容部２ａには、被記録媒体４０を収容した媒体アダプタ１０が収容される。なお、媒体アダプタ１０及び被記録媒体４０については、後述する。
【００１８】
プラテンローラ７は、感熱テープ４２を搬送する搬送部である。プラテンローラ７は、図示しない搬送用モータの回転により回転する。搬送用モータは、例えば、ステッピングモータ、直流（ＤＣ）モータなどである。プラテンローラ７は、媒体アダプタ１０から繰り出された感熱テープ４２をサーマルヘッド８との間に狭持しながら回転することで、感熱テープ４２を搬送方向に搬送する。
【００１９】
サーマルヘッド８は、感熱テープ４２に印刷を行う印刷ヘッドである。サーマルヘッド８は、感熱テープ４２の搬送方向に直交する主走査方向に配列された複数の発熱素子を有し、発熱素子で感熱テープ４２を加熱することにより一ラインずつ印刷を行う。
【００２０】
図３は、媒体アダプタ１０の斜視図である。図４は、被記録媒体４０の構成を説明するための図である。図５は、感熱テープ４２の構成を説明するための図である。以下、図３から図５を参照しながら、媒体アダプタ１０及び被記録媒体４０の構成について説明する。
【００２１】
媒体アダプタ１０は、被記録媒体４０を収容するための媒体アダプタであり、利用者が被記録媒体４０を交換できるように、被記録媒体４０を収容する。つまり、媒体アダプタ１０は、利用者が媒体アダプタ１０に対して被記録媒体４０を出し入れすることを前提に設計されている。
【００２２】
媒体アダプタ１０は、図３に示すように、アダプタ本体２０と、アダプタ蓋３０と、を備えている。被記録媒体４０は、アダプタ本体２０とアダプタ蓋３０とで区画された媒体アダプタ１０の内部空間内に収容される。アダプタ本体２０については、後述する。アダプタ蓋３０は、アダプタ本体２０に対して開閉自在に取り付けられている。
【００２３】
また、媒体アダプタ１０は、被記録媒体４０が有する感熱テープ４２のテープ幅に合わせて設計されている。媒体アダプタ１０が収容すべき感熱テープ４２のテープ幅は、アダプタ本体２０の領域２０ａに表示されている。この例では、媒体アダプタ１０は、テープ幅６ｍｍのテープ用の媒体アダプタである。
【００２４】
印刷装置１では、被記録媒体４０を収容した媒体アダプタ１０が印刷装置１に収容されることで、被記録媒体４０が印刷装置１に収容される。
【００２５】
なお、印刷装置１は、異なるテープ幅に対応した媒体アダプタを収容することができる。印刷装置１は、具体的には、例えば、図３に示す６ｍｍのテープ用の媒体アダプタ１０の他に、９ｍｍのテープ用の媒体アダプタ、１２ｍｍのテープ用の媒体アダプタ、１８ｍｍのテープ用の媒体アダプタなどを収容することができる。
【００２６】
被記録媒体４０は、図４に示すように、紙管４１と、感熱テープ４２と、バラけ防止シート４３と、アテンションシート４４を備えている。
【００２７】
紙管４１は、感熱テープ４２が巻きつけられた筒部材であり、中空部分４１ａを有している。感熱テープ４２は、長手方向に巻かれて筒形状を有した印刷用のテープであり、中空部分４２ａを有するように巻かれている。バラけ防止シート４３は、感熱テープ４２の環形状の側面の一方（側面４２ｃ）に貼り付けられた粘着シートである。アテンションシート４４は、感熱テープ４２の環形状の側面の他方（側面４２ｂ）に貼り付けられた粘着シートである。
【００２８】
紙管４１は、感熱テープ４２の中空部分４２ａに設けられる。紙管４１は、少なくとも円柱形状の中空部分を有することが望ましく、図４に示すような円筒部材であれば更に望ましい。被記録媒体４０が媒体アダプタ１０に収容された状態では、紙管４１の中空部分４１ａに、アダプタ本体２０の突出部２３（図６参照）が挿通される。紙管４１は、感熱テープ４２がプラテンローラ７により搬送されているときに、被記録媒体４０を傷めることなく、被記録媒体４０を媒体アダプタ１０の内部でスムーズに回転させるのに有用である。
【００２９】
感熱テープ４２は、例えば、図５に示すような５層構造を有している。即ち、セパレータＬ１と、粘着層Ｌ２と、基材Ｌ３と、発色層Ｌ４と、保護層Ｌ５とがこの順に積層されている。セパレータＬ１は粘着層Ｌ２を覆うように剥離可能に基材Ｌ３に貼り付けられている。セパレータＬ１の材料は、例えば、紙であるが、紙に限らず、ＰＥＴ（ポリエチレンテレフタレート）であってもよい。粘着層Ｌ２は、基材Ｌ３に塗布された粘着材である。基材Ｌ３の材料は、例えば、有色のＰＥＴである。発色層Ｌ４は、熱エネルギーの加熱により発色する感熱発色層である。保護層Ｌ５の材料は、例えば、透明なＰＥＴである。
【００３０】
感熱テープ４２の構成は、図５に示す構成に限らない。感熱テープ４２は、セパレータＬ１を有さず、粘着層Ｌ２が露出したものであってもよい。なお、この場合、バラけ防止シート４３は省略されてもよい。また、感熱テープ４２は、保護層Ｌ５を有さず、発色層Ｌ４が露出したものであってもよい。
【００３１】
感熱テープ４２は、紙管４１に巻きつけられた状態では、紙管４１に応じた形状を有する。紙管４１の形状が、図４に示すように、円筒形状であれば、感熱テープ４２も円筒形状を有し、両側面（側面４２ｂ、側面４２ｃ）は円環形状を有する。紙管４１の形状が中空六角柱形状であれば、感熱テープ４２も中空六角柱形状を有し、両側面は六角形環形状を有する。
【００３２】
バラけ防止シート４３は、感熱テープ４２の形状を維持するための粘着シートである。感熱テープ４２は湿度変化により膨張することがある。しかしながら、バラけ防止シート４３を感熱テープ４２の側面４２ｃに貼り付けることで、膨張に伴う感熱テープ４２の形状変化、つまり、感熱テープ４２がバラけしてしまうこと、を抑制することができる。また、バラけ防止シート４３は、被記録媒体４０の落下等により感熱テープ４２に衝撃が加わった場合にも、形状変化を抑制することができる。
【００３３】
バラけ防止シート４３は、開口部４３ａと、粘着面４３ｂと、を有している。開口部４３ａは、紙管４１の中空部分４１ａと同じ大きさであるか、又は、紙管４１の中空部分４１ａよりも大きい。また、開口部４３ａは、後述する開口部４４ａよりも大きい。また、開口部４３ａは、感熱テープ４２の中空部分４２ａと同じ大きさであるか、又はそれよりも大きいことが望ましい。より詳細には、開口部４３ａの直径は、感熱テープ４２の中空部分４２ａの内径以上であることが望ましい。バラけ防止シート４３は、開口部４３ａが感熱テープ４２の中空部分４２ａに対向するように側面４２ｃに貼り付けられる。また、バラけ防止シート４３は、感熱テープ４２の側面４２ｃを覆うような大きさを有することが望ましい。つまり、バラけ防止シート４３は、側面４２ｃよりも大きいことが望ましい。これにより、感熱テープ４２全体を粘着面で保持することができるため、形状をより確実に維持することができる。
【００３４】
また、バラけ防止シート４３の形状は、側面４２ｃの形状に近似した形状であることが望ましい。つまり、側面４２ｃが円環形状であれば、バラけ防止シート４３も円環形状を有することが望ましい。これにより、感熱テープ４２の形状維持に貢献しない領域を小さくすることができるため、バラけ防止シート４３の大きさを小さくすることができる。また、粘着面の露出も少なくなるため、バラけ防止シート４３への塵、埃などの付着も抑えることができる。
【００３５】
アテンションシート４４は、被記録媒体４０の種類（より厳密には、感熱テープ４２の種類）を示す粘着シートである。感熱テープ４２には、テープ幅、及び、被印刷面の色の違いにより、様々な種類が存在する。アテンションシート４４には、感熱テープ４２の種類を特定するための情報が含まれているため、アテンションシート４４を感熱テープ４２の側面４２ｂに貼り付けることで、利用者は被記録媒体４０の種類を容易に特定することが可能となる。
【００３６】
アテンションシート４４は、開口部４４ａと、粘着面４４ｂと、を有している。開口部４４ａは、感熱テープ４２の中空部分４２ａよりも小さく、さらに、紙管４１の中空部分４１ａよりも小さい。より詳細には、開口部４４ａの直径は、感熱テープ４２の中空部分４２ａの内径よりも小さく、さらに、紙管４１の中空部分４１ａの内径よりも小さい。アテンションシート４４は、開口部４４ａが感熱テープ４２の中空部分４２ａに対向するように側面４２ｂに貼り付けられる。また、アテンションシート４４は、例えば、被記録媒体４０の販売時など、少なくとも被記録媒体４０の使用が開始される前においては、感熱テープ４２の側面４２ｂよりも小さいことが望ましい。より詳細には、アテンションシート４４の面積は、感熱テープ４２の側面４２ｂの面積よりも小さいことが望ましい。これにより、感熱テープ４２の側面４２ｂのうちアテンションシート４４に覆われる領域が小さくなるため、感熱テープ４２の残量の確認が容易になる。
【００３７】
紙管４１、バラけ防止シート４３、アテンションシート４４の材料は、紙に限らない。ただし、これらの部材が紙製であれば、感熱テープ４２を使い切った使用済みの被記録媒体４０を可燃ゴミとして捨てることができる。このため、紙管４１、バラけ防止シート４３、アテンションシート４４の材料は、紙であることが望ましい。
【００３８】
以上のように、被記録媒体４０では、感熱テープ４２の中空部分４２ａよりも小さな開口部４４ａを有するアテンションシート４４が感熱テープ４２の側面４２ｃに貼り付けられている。このため、被記録媒体４０を側面４２ｂ側から見たときの開口の大きさ（つまり、開口部４４ａの大きさ）と、被記録媒体４０を側面４２ｃ側から見たときの開口の大きさ（つまり、開口部４３ａの大きさ）と、が異なっている。
【００３９】
被記録媒体４０によれば、これらの開口の大きさの違いにより、媒体アダプタ１０に被記録媒体４０が誤った向きで収容されることを防止することができる。なお、印刷装置１では、被記録媒体４０は媒体アダプタ１０に装着されるが、被記録媒体４０は、被記録媒体４０を直接収容する印刷装置に用いられてもよい。その場合も、印刷装置に被記録媒体４０が誤った向きで収容されることを防止することができる。従って、被記録媒体４０によれば、被記録媒体４０が誤った向きで装着されることを防止することができる。
【００４０】
図６は、アダプタ本体２０の斜視図である。図７は、アダプタ本体２０の平面図である。図８は、アダプタ本体２０の断面図である。図９は、アテンションシート４４を上に向けた状態における被記録媒体４０の断面図である。図１０は、バラけ防止シート４３を上に向けた状態における被記録媒体４０の断面図である。以下、図６から図１０を参照しながら、誤った向きでの装着が防止されることについて、更に詳細に説明する。
【００４１】
アダプタ本体２０は、図６に示すように、ガイド２１と、媒体収容部２２と、突出部２３と、を備えている。ガイド２１は、媒体収容部２２から繰り出された感熱テープ４２の搬送方向を規制する規制部材である。媒体収容部２２は、媒体アダプタ１０の内壁面の一部である底面２２ａを有し、底面２２ａにバラけ防止シート４３を向けた状態で、被記録媒体４０を収容する。突出部２３については、後述する。
【００４２】
また、アダプタ本体２０は、図７に示すように、複数のリブ２６を有している。複数のリブ２６は、底面２２ａに設けられていて、媒体収容部２２に収容された被記録媒体４０を支持する。これにより、媒体アダプタ１０内部で被記録媒体４０が回転するときの摩擦抵抗が減少するため、スムーズな回転が実現できる。特に、複数のリブ２６が突出部２３に対して放射状に設けられることで、被記録媒体４０の径方向の各位置に均等に摩擦力を働かせることができる。
【００４３】
さらに、アダプタ本体２０は、図７に示すように、複数のリブ２６の間に、領域２７を有している。領域２７には、例えば、収容されるべき被記録媒体のテープ幅を特定するための情報が印刷されたシールが貼付される。つまり、領域２７には、媒体アダプタ１０がテープ幅何ｍｍのテープ用の媒体アダプタであるかが示される。これにより、利用者は、媒体アダプタ１０に被記録媒体４０を装着するときに、領域２７の情報とアテンションシート４４の情報とを比較することで、被記録媒体４０のテープ幅が媒体アダプタ１０が対応しているテープ幅か否かをひと目で確認することができる。このためで、誤ったテープ幅を有する被記録媒体４０を媒体アダプタ１０に装着することを防止することができる。
【００４４】
突出部２３は、媒体アダプタ１０に被記録媒体４０が収容された状態で、被記録媒体４０が有する感熱テープ４２の中空部分４２ａに挿通される。突出部２３は、媒体収容部２２の底面２２ａから延出した第１の突出部２４と、第１の突出部２４の先端面２４ａから延出した第２の突出部２５と、を有している。
【００４５】
第１の突出部２４は、感熱テープ４２の中空部分４２ａよりも小さく、且つ、アテンションシート４４の開口部４４ａよりも大きい。さらに詳細には、第１の突出部２４は、紙管４１の紙管４１ａよりも小さい。別の言い方をすると、図８に示す第１の突出部２４の外径Ｄ１は、図９に示す感熱テープ４２の中空部分４２ａの内径Ｄ４２ｉよりも小さく、且つ、図９に示すアテンションシート４４の開口径Ｄ４４ｉ（つまり、開口部４４ａの直径）よりも大きい。さらに、第１の突出部２４の外径Ｄ１は、図９に示す紙管４１の中空部分４１ａの内径Ｄ４１よりも小さい。また、図１０に示すように、バラけ防止シート４３の開口径Ｄ４３ｉは、紙管４１の中空部分４１ａの内径Ｄ４１と同等かそれ以上である。このため、第１の突出部２４の外径Ｄ１は、バラけ防止シート４３の開口径Ｄ４３ｉ（つまり、開口部４３ａの直径）よりも小さい。
【００４６】
第１の突出部２４は、図８に示すように、底面２２ａを基準とした高さＨ１を有している。第１の突出部２４の高さＨ１は、媒体アダプタ１０が対応した感熱テープ４２のテープ幅よりも低い。つまり、６ｍｍよりも低い。
【００４７】
第２の突出部２５は、アテンションシート４４の開口部４４ａよりも小さい。別の言い方をすると、図８に示す第２の突出部２５の外径Ｄ２は、図９に示すアテンションシート４４の開口径Ｄ４４ｉよりも小さい。
【００４８】
第２の突出部２５は、図８に示すように、底面２２ａを基準とした高さＨ２を有し、且つ、先端面２４ａを基準とした高さＨ１２を有している。第２の突出部２５の高さＨ２は、媒体アダプタ１０が対応した感熱テープ４２のテープ幅よりも高い。つまり、６ｍｍよりも高い。
【００４９】
その他、図９に示すように、アテンションシート４４の外径Ｄ４４ｏは、感熱テープ４２の内径Ｄ４２ｉよりも大きい。また、図９及び図１０に示すように、バラけ防止シート４３の外径Ｄ４３ｏは、感熱テープ４２の外径Ｄ４２ｏと同等かそれ以上である。
【００５０】
突出部２３のサイズと被記録媒体４０のサイズが以上のような関係にあることで、バラけ防止シート４３を底面２２ａに向けた場合であれば、突出部２３が感熱テープ４２の中空部分４２ａを挿通し、バラけ防止シート４３が底面２２ａのリブ２６に支持される。このため、安定した状態で、被記録媒体４０を媒体アダプタ１０に収容することができる。
【００５１】
その一方で、アテンションシート４４を底面２２ａに向けた場合には、アテンションシート４４は、先端面２４ａに接触してしまい、リブ２６にまで達しない。この状態は、被記録媒体４０が狭い先端面２４ａで支持された状態であり、非常に不安定である。このため、利用者は、被記録媒体４０を装着する向きを誤ったことに直ぐに気が付くことができる。また、この状態では、アダプタ蓋３０が被記録媒体４０にぶつかってしまい、閉まらない。
【００５２】
従って、被記録媒体４０及び媒体アダプタ１０によれば、被記録媒体４０が誤った向きに装着されることを防止することができる。
【００５３】
図１１は、アダプタ本体５０の断面図である。図１２は、アダプタ本体６０の断面図である。図１３は、アダプタ本体７０の断面図である。以下、図８及び図１１から図１３を参照しながら、対応するテープ幅の異なる媒体アダプタ間の差異について説明する。
【００５４】
図１１に示すアダプタ本体５０、図１２に示すアダプタ本体６０、図１３に示すアダプタ本体７０は、それぞれ、９ｍｍ、１２ｍｍ、１８ｍｍのテープ用の媒体アダプタが有するアダプタ本体である。なお、これらの媒体アダプタのアダプタ蓋は、６ｍｍのテープ用の媒体アダプタ１０が有するアダプタ蓋３０と同じである。
【００５５】
アダプタ本体５０は、図１１に示すように、突出部５３を有している。突出部５３は、底面５２ａから延出した第１の突出部と、第１の突出部から延出した第２の突出部を有する。アダプタ本体６０は、図１２に示すように、突出部６３を有している。突出部６３は、底面６２ａから延出した第１の突出部と、第１の突出部から延出した第２の突出部を有する。アダプタ本体７０は、図１３に示すように、突出部７３を有している。突出部７３は、底面７２ａから延出した第１の突出部と、第１の突出部から延出した第２の突出部を有する。
【００５６】
第１の突出部の外径Ｄ１と第２の突出部の外径Ｄ２は、媒体アダプタによらず共通である。また、第１の突出部の先端面を基準とした第２の突出部の高さＨ１２も、媒体アダプタによらず共通である。第１の突出部の高さＨ１と、底面を基準とした第２の突出部の高さＨ２は、媒体アダプタ毎に異なる。
【００５７】
図８に示す６ｍｍテープ用のアダプタ本体２０については、第１の突出部２４の高さＨ１は、アダプタ本体２０が対応するテープ幅である６ｍｍよりも低い。また、第２の突出部２５の高さＨ２は、アダプタ本体２０が対応するテープ幅である６ｍｍよりも高く、且つ、アダプタ本体５０が対応するテープ幅である９ｍｍよりも低い。
【００５８】
図１１に示す９ｍｍテープ用のアダプタ本体５０については、第１の突出部の高さＨ１は、アダプタ本体５０が対応するテープ幅である９ｍｍよりも低い。また、第２の突出部の高さＨ２は、アダプタ本体５０が対応するテープ幅である９ｍｍよりも高く、且つ、アダプタ本体６０が対応するテープ幅である１２ｍｍよりも低い。
【００５９】
図１２に示す１２ｍｍテープ用のアダプタ本体６０については、第１の突出部の高さＨ１は、アダプタ本体６０が対応するテープ幅である１２ｍｍよりも低い。また、第２の突出部の高さＨ２は、アダプタ本体６０が対応するテープ幅である１２ｍｍよりも高く、且つ、アダプタ本体７０が対応するテープ幅である１８ｍｍよりも低い。
【００６０】
図１３に示す１８ｍｍテープ用のアダプタ本体７０については、第１の突出部の高さＨ１は、アダプタ本体７０が対応するテープ幅である１８ｍｍよりも低い。また、第２の突出部の高さＨ２は、アダプタ本体７０が対応するテープ幅である１８ｍｍよりも高い。
【００６１】
つまり、第１の突出部の高さＨ１は、対応するテープ幅よりも低く、第２の突出部の高さＨ２は、対応するテープ幅よりも高い。また、第１の突出部の高さＨ１は、対応するテープ幅よりも短い他の媒体アダプタに対応するテープ幅よりも高い。換言すると、第１の突出部の高さＨ１は、予め決められた複数のテープ幅（６ｍｍ、９ｍｍ、１２ｍｍ、１８ｍｍ）に含まれる対応するテープ幅よりも短いテープ幅と比較して高い。
【００６２】
突出部のサイズ（高さ、外径）が以上のような関係にあることで、被記録媒体４０が、媒体アダプタが対応するテープ幅を有する場合であれば、突出部が感熱テープ４２の中空部分４２ａを挿通し、バラけ防止シート４３がリブに支持される。このため、安定した状態で、被記録媒体４０を媒体アダプタに収容することができる。
【００６３】
その一方で、被記録媒体４０が、媒体アダプタが対応するテープ幅よりも短いテープ幅を有する場合であれば、たとえ正しい向きで装着する場合であっても、アテンションシート４４が第１の突出部の先端面に接触してしまい、バラけ防止シート４３はリブにまで達しない。この状態は、被記録媒体４０が狭い先端面で支持された状態であり、非常に不安定である。このため、利用者は、媒体アダプタが対応するテープ幅とは異なるテープ幅の被記録媒体４０を装着したことに直ぐに気が付くことができる。
【００６４】
また、被記録媒体４０が、媒体アダプタが対応するテープ幅よりも長いテープ幅を有する場合であれば、被記録媒体４０のテープ幅が第２の突出部の高さＨ２よりも長くなり、突出部が感熱テープ４２の中空部分４２ａを完全に挿通した状態とはならない。また、第２の突出部の高さは、媒体アダプタの内部空間の高さに略等しい。このため、被記録媒体４０がアダプタ蓋にぶつかってしまい、アダプタ蓋が閉まらない。
【００６５】
従って、被記録媒体４０及び媒体アダプタによれば、媒体アダプタに対応するテープ幅とは異なるテープ幅の被記録媒体４０が装着されることを防止することができる。
【００６６】
次に、バラけ防止シート４３の変形例について説明する。図１４は、感熱テープ４２がある程度消費された状態における被記録媒体８０の斜視図である。図１５は、バラけ防止シート８３の平面図である。図１６は、バラけ防止シート８３側から見た被記録媒体８０の平面図である。図１７は、バラけ防止シート８３の一部を切り取る様子を示した図である。
【００６７】
図１４に示す被記録媒体８０は、変形例に係るバラけ防止シート８３を有する被記録媒体である。被記録媒体８０は、紙管４１と感熱テープ４２とバラけ防止シート８３を有している。被記録媒体８０は、バラけ防止シート４３の代わりにバラけ防止シート８３を有する点、アテンションシート４４を有しない点が、被記録媒体４０とは異なる。
【００６８】
被記録媒体８０では、図１４に示すように、感熱テープ４２の消費が進むと、バラけ防止シート８３の粘着面のうち露出している部分が大きくなるため、塵、埃などが付着しやすくなる。また、粘着面が露出している部分が大きくなると、被記録媒体８０を交換するときに、粘着面が手につくなど、被記録媒体８０の取り扱いが難しくなる。しかしながら、被記録媒体８０は、このような事態への対処が可能である。
【００６９】
以下、被記録媒体８０について更に詳細に説明する。被記録媒体８０が有するバラけ防止シート８３は、開口部を有し、その開口部が感熱テープ４２の中空部分に対向するように感熱テープ４２の環形状を有する側面の一方に貼り付けられる点は、バラけ防止シート４３と同様である。バラけ防止シート８３は、図１５に示すように、ミシン目８３ａと、切欠き８３ｂと、第１シート部８３ｃと、第１のシート部８３ｃと分離可能な第２シート部８３ｄと、を備える点が、バラけ防止シート４３とは異なっている。
【００７０】
ミシン目８３ａは、環状に配列された複数の孔からなる線であり、第１シート部８３ｃと第２シート部８３ｄとの境界を示す線である。ミシン目８３ａは、感熱テープ４２の巻き目に沿って形成されている。つまり、開口部を中心とした円環状に形成されている。より厳密には、ミシン目８３ａは、感熱テープ４２の中空部分４２ａ又はバラけ防止シート８３の開口部の少なくとも一方と同心円状に形成されている。ミシン目８３ａが形成される径方向の位置は、残量が予め決められた量になったときの感熱テープ４２の外周位置である。図１５では、ミシン目８３ａの位置は、感熱テープ４２の残量が５０％となったときの感熱テープ４２の外周位置である。
【００７１】
切欠き８３ｂは、バラけ防止シート８３の外周部から、例えば開口部に向かって、延びている。より具体的には、切欠き８３ｂは、外周部からミシン目８３ａまで延びている。
【００７２】
被記録媒体８０では、感熱テープ４２の残量が５０％以上であれば、図１６に示すように、切欠き８３ｂから感熱テープ４２の存在を確認することができる。一方で、感熱テープ４２の残量が５０％未満になると、切欠き８３ｂから感熱テープ４２の存在を確認することができなくなる。このため、利用者は、切欠き８３ｂから感熱テープ４２の存在が確認できるか否かによって、感熱テープ４２の残量が５０％以上か未満かを判断することが可能であり、感熱テープ４２の残量を大まかに把握することができる。
【００７３】
以上のように構成された被記録媒体８０では、バラけ防止シート８３にミシン目８３ａが形成されているため、感熱テープ４２の消費が進み、バラけ防止シート８３の粘着面の露出量が大きくなったときに、図１７に示すように、ミシン目８３ａに沿ってバラけ防止シート８３の一部（第２シート部８３ｄ）を切り取ることができる。これにより、消費に伴って大きくなった粘着面の露出量を小さくすることができる。このため、粘着面への塵、埃などの付着を抑制することができる。また、被記録媒体８０の取り扱いやすさを維持することができる。
【００７４】
また、被記録媒体８０では、切欠き８３ｂが外周部からミシン目８３ａまで延びているため、ミシン目８３ａに沿って容易にバラけ防止シート８３を切り取ることができる。さらに、利用者は、図１７に示すように、切欠き８３ｂから感熱テープ４２の存在を確認することができなくなった場合に、ミシン目８３ａに沿ってバラけ防止シート８３の一部（第２シート部８３ｄ）を切り取ってもよい。このようなタイミングでバラけ防止シート８３を切り取ることで、バラけ防止シート８３が感熱テープ４２の側面よりも小さくなることを防止することができる。このため、一部を切り取った後でもバラけ防止シート８３により感熱テープ４２の形状を維持することができる。
【００７５】
従って、被記録媒体８０によれば、扱いやすさを失うことなく被記録媒体の形状を維持することができる。
【００７６】
バラけ防止シート４３の別の変形例について説明する。図１８は、バラけ防止シート９３の平面図である。図１９は、バラけ防止シート１０３の平面図である。図２０は、バラけ防止シート１１３の平面図である。図２１は、バラけ防止シート１２３の平面図である。
【００７７】
図１８に示すバラけ防止シート９３は、環状に配列された複数の孔からなる線であるミシン目８３ａを備える点は、バラけ防止シート８３と同様である。バラけ防止シート９３は、切欠き８３ｂの代わりに、バラけ防止シート９３の外周部から開口部まで延びる切欠き９３ｂを備えている点が、バラけ防止シート８３とは異なる。また、バラけ防止シート９３は、第１シート部９３ｃと、第１のシート部９３ｃと分離可能な第２シート部９３ｄと、を備えている。
【００７８】
バラけ防止シート９３を備える被記録媒体によっても、被記録媒体８０と同様に、扱いやすさを失うことなく被記録媒体の形状を維持することができる。また、バラけ防止シート９３を用いた場合でも、ミシン目８３ａに沿ってバラけ防止シート９３の一部を容易に切り取ることが可能であり、また、感熱テープ４２の外周位置とミシン目８３ａを比較することで、大まかな残量を把握することも可能である。このように、切欠きは少なくともミシン目８３ａまで延びていればよく、ミシン目８３ａを越えて更に奥へ延びていてもよい。
【００７９】
図１９に示すバラけ防止シート１０３は、径方向の異なる位置に複数の線（ミシン目８３ａ、ミシン目１０３ａ）を有している点がバラけ防止シート９３とは異なる。その他の点は、バラけ防止シート９３と同様である。また、バラけ防止シート１０３は、第１シート部１０３ｃと、第１のシート部１０３ｃと分離可能な第２シート部１０３ｄと、第２のシート部１０３ｄと分離可能な第３シート部１０３ｅを備えている。
【００８０】
バラけ防止シート１０３を備える被記録媒体によっても、被記録媒体８０と同様に、扱いやすさを失うことなく被記録媒体の形状を維持することができる。また、複数のミシン目が形成されていることで、粘着面の露出量を細かく調整することができる。また、例えば、ミシン目８３ａは残量５０％、ミシン目１０３ａは残量２０％など、各ミシン目を感熱テープ４２の残量と関連付けることで、被記録媒体８０によりも細かく感熱テープ４２の残量を把握することができる。
【００８１】
図２０に示すバラけ防止シート１１３は、環状に配列された複数の孔からなる線であるミシン目８３ａを備える点は、バラけ防止シート８３と同様である。バラけ防止シート１１３は、切欠き８３ｂの代わりに、ミシン目１１３ａを備えている点が、バラけ防止シート８３とは異なる。また、バラけ防止シート１１３は、第１シート部１１３ｃと、第１のシート部１１３ｃと分離可能な第２シート部１１３ｄと、を備えている。ミシン目１１３ａは、バラけ防止シート１１３の外周部からミシン目８３ａに向かって配列された複数の孔からなる線である。
【００８２】
バラけ防止シート１１３を備える被記録媒体によっても、被記録媒体８０と同様に、扱いやすさを失うことなく被記録媒体の形状を維持することができる。また、バラけ防止シート１１３を用いた場合でも、ミシン目１１３ａとミシン目８３ａに沿ってバラけ防止シート１１３の一部を容易に切り取ることが可能である。
【００８３】
図２１に示すバラけ防止シート１２３は、環状に配列された複数の孔からなる切り取り線であるミシン目８３ａを備える点は、バラけ防止シート８３と同様である。バラけ防止シート１２３は、切欠き８３ｂの代わりに、ミシン目１２３ａと切欠き１２３ｂを備えている点が、バラけ防止シート８３とは異なる。また、バラけ防止シート１２３は、第１シート部１２３ｃと、第１のシート部１２３ｃと分離可能な第２シート部１２３ｄと、を備えている。
【００８４】
ミシン目１２３ａは、切欠き１２３ｂからミシン目８３ａに向かって延びる切り取り線である。また、切欠き１２３ｂは、バラけ防止シート１２３の外周部から延びる切欠きであるが、ミシン目８３ａまで達していない点が、切欠き８３ｂとは異なる。
【００８５】
バラけ防止シート１２３を備える被記録媒体によっても、被記録媒体８０と同様に、扱いやすさを失うことなく被記録媒体の形状を維持することができる。また、バラけ防止シート１２３を用いた場合でも、ミシン目１２３ａとミシン目８３ａに沿ってバラけ防止シート１２３の一部を容易に切り取ることが可能である。また、ミシン目１２３ａを形成することで、切欠き１２３ｂの大きさを自由に設計することが可能となる。これにより、切欠き１２３ｂから感熱テープ４２の存在を確認することで把握することができる感熱テープ４２の残量と、粘着面の露出量が大きくなったためバラけ防止シート１２３の一部を切り取るタイミングと、を個別に設定することができる。
【００８６】
上述した実施形態は、発明の理解を容易にするために具体例を示したものであり、本発明はこれらの実施形態に限定されるものではない。被記録媒体、及び、媒体アダプタは、特許請求の範囲の記載を逸脱しない範囲において、さまざまな変形、変更が可能である。
【００８７】
上述した実施形態では、アテンションシート４４が感熱テープ４２の側面４２ｂよりも小さい例を示したが、アテンションシート４４は、側面４２ｂよりも大きくてもよい。この場合、アテンションシート４４は、バラけ防止シート４３と同様の効果を有する。
【００８８】
また、上述した実施形態では、感熱テープ４２の側面の一方にバラけ防止シートを、他方にアテンションシート４４を貼り付けた例を示したが、両側面にバラけ防止シートを貼り付けてもよい。両面にバラけ防止シートを貼り付ける場合でバラけ防止シートにミシン目がない場合には、感熱テープ４２の消費が進んだときに、バラけ防止シート同士が接触する可能性がある。バラけ防止シート同士が接触すると、媒体アダプタ内での被記録媒体の回転が妨げられてしまうことがあるため、バラけ防止シートにはミシン目が形成されていることが望ましい。
【００８９】
また、上述した実施形態では、バラけ防止シートの第１のシート部と第２のシート部との境界を示す線として、複数の孔が配列したミシン目を例示したが、境界を示す線は、ミシン目に限らない。境界を示す線は、例えば、第１のシート部と第２のシート部が予め分離されていて、分離された第１のシート部と第２のシート部の間の空間であってもよい。また、境界を示す線は、切り取り位置を示すために印刷された線（つまり、切り取り線）であってもよく、また、印刷された線は、実線に限らず、点線や破線であってもよい。また、境界を示す線は、ミシン目、切り取り線（実線、点線、破線を含む）のうちの少なくとも１つを含んでも良い。
【００９０】
また、上述した実施形態では、バラけ防止シートの外周部から境界を示す線に向かってミシン目を設ける例を示したが、ミシン目の代わりに又はミシン目に加えて、外周部から境界を示す線に向かって切り取り線が設けられてもよい。
【００９１】
また、上述した実施形態では、入力部３と表示部６を有する印刷装置１を例示したが、印刷装置は、入力部や表示部を有しなくてもよく、例えば、コンピュータなど、印刷装置とは別の電子機器から印刷データが入力されても良い。
【００９２】
また、上述した実施形態では、対応するテープ幅の異なる媒体アダプタ毎に、第１の突出部の高さＨ１と第２の突出部の高さＨ２がそれぞれ異なる例を示したが、媒体アダプタによらず、第１の突出部の高さＨ１と第２の突出部の高さＨ２はそれぞれ同じであってもよい。
【００９３】
以下、本願の出願当初の特許請求の範囲に記載された発明を付記する。
［付記１］
中空部分を有するように巻かれているテープと、
前記テープの前記中空部分の内径よりも直径が小さい第１の開口部を有し、前記第１の開口部が前記テープの前記中空部分に対向するように前記テープの側面の一方に貼り付けられた第１の粘着シートと、を備える
ことを特徴とする被記録媒体。
【００９４】
［付記２］
付記１に記載の被記録媒体において、
前記第１の粘着シートの面積は、前記側面の面積よりも小さい
ことを特徴とする被記録媒体。
【００９５】
［付記３］
付記１または２に記載の被記録媒体において、さらに、
前記テープの前記中空部分に設けられ、前記テープが巻きつけられた筒部材を備え、
前記第１の開口部の前記直径は、前記筒部材の前記中空部分の内径よりも小さい
ことを特徴とする被記録媒体。
【００９６】
［付記４］
付記１乃至３の何れか一つに記載の被記録媒体において、さらに、
前記テープの前記中空部分の前記内径の大きさ以上の直径を有する第２の開口部を有し、前記第２の開口部が前記テープの前記中空部分に対向するように前記側面の他方に貼り付けられた第２の粘着シートを備える
ことを特徴とする被記録媒体。
【００９７】
［付記５］
付記１に記載の被記録媒体を収容するための媒体アダプタであって、
前記媒体アダプタに収容された前記被記録媒体が有する前記テープの前記中空部分に挿通される突出部を備え、
前記突出部は、
前記テープの前記中空部分の前記内径よりも小さく、且つ前記第１の開口部の前記直径よりも大きな外径の第１の突出部を有する
ことを特徴とする媒体アダプタ。
【００９８】
［付記６］
付記５に記載の媒体アダプタであって、
前記突出部は更に、
前記第１の突出部の先端面から延出した、前記第１の開口部の前記内径よりも小さな外径の第２の突出部を有する
ことを特徴とする媒体アダプタ。
【００９９】
［付記７］
付記６に記載の媒体アダプタにおいて、
底面を基準とした前記第１の突出部の高さは、前記テープの幅よりも低く、
前記底面を基準とした前記第２の突出部の高さは、前記テープの幅よりも高い
ことを特徴とする媒体アダプタ。
【０１００】
［付記８］
付記７に記載の媒体アダプタにおいて、
前記媒体アダプタは、予め決められた複数の幅のテープのうちの第１の幅のテープを収容するための媒体アダプタであり、
前記第１の突出部の高さは、前記第１の幅よりも短い第２の幅であって前記複数の幅に含まれる前記第２の幅よりも高い
ことを特徴とする媒体アダプタ。
【符号の説明】
【０１０１】
１・・・印刷装置、２・・・装置筐体、２ａ・・・媒体アダプタ収容部、３・・・入力部、４・・・蓋、４ａ・・・ボタン、５・・・窓、６・・・表示部、７・・・プラテンローラ、８・・・サーマルヘッド、１０・・・媒体アダプタ、２０、５０、６０、７０・・・アダプタ本体、２０ａ、２７・・・領域、２１・・・ガイド、２２・・・媒体収容部、２２ａ、５２ａ、６２ａ、７２ａ・・・底面、２３、５３、６３、７３・・・突出部、２４・・・第１の突出部、２４ａ・・・先端面、２５・・・第２の突出部、２６・・・リブ、３０・・・アダプタ蓋、４０、８０・・・被記録媒体、４１・・・紙管、４２・・・感熱テープ、４２ａ・・・中空部分、４２ｂ、４２ｃ・・・側面、４３、８３、９３、１０３、１１３、１２３・・・バラけ防止シート、４３ａ、４４ａ・・・開口部、４３ｂ、４４ｂ・・・粘着面、４４・・・アテンションシート、８３ａ、１０３ａ、１１３ａ、１２３ａ・・・ミシン目、８３ｂ、９３ｂ、１２３ｂ・・・切欠き、Ｌ１・・・セパレータ、Ｌ２・・・粘着層、Ｌ３・・・基材、Ｌ４・・・発色層、Ｌ５・・・保護層
【図１】
2019142635.tif 000003
【図２】
2019142635.tif 000004
【図３】
2019142635.tif 000005
【図４】
2019142635.tif 000006
【図５】
2019142635.tif 000007
【図６】
2019142635.tif 000008
【図７】
2019142635.tif 000009
【図８】
2019142635.tif 000010
【図９】
2019142635.tif 000011
【図１０】
2019142635.tif 000012
【図１１】
2019142635.tif 000013
【図１２】
2019142635.tif 000014
【図１３】
2019142635.tif 000015
【図１４】
2019142635.tif 000016
【図１５】
2019142635.tif 000017
【図１６】
2019142635.tif 000018
【図１７】
2019142635.tif 000019
【図１８】
2019142635.tif 000020
【図１９】
2019142635.tif 000021
【図２０】
2019142635.tif 000022
【図２１】
2019142635.tif 000023
【手続補正書】
【提出日】平成31年3月20日(2019.3.20)
【手続補正１】
【補正対象書類名】明細書
【補正対象項目名】０００８
【補正方法】変更
【補正の内容】
【０００８】
本発明の一態様に係る被記録媒体は、中空部分を有するように巻かれているテープと、前記テープの前記中空部分の内径よりも直径が小さい第１の開口部を有し、前記中空部分に対応して前記テープの側面の一方に貼り付けられ、外径が前記テープの前記中空部分の内径よりも大きい第１の粘着シートと、を備える。
【手続補正２】
【補正対象書類名】特許請求の範囲
【補正対象項目名】全文
【補正方法】変更
【補正の内容】
【特許請求の範囲】
【請求項１】
中空部分を有するように巻かれているテープと、
前記テープの前記中空部分の内径よりも直径が小さい第１の開口部を有し、前記中空部分に対応して前記テープの側面の一方に貼り付けられ、外径が前記テープの前記中空部分の内径よりも大きい第１の粘着シートと、を備える
ことを特徴とする被記録媒体。
【請求項２】
請求項１に記載の被記録媒体において、さらに、
前記テープの前記中空部分の前記内径の大きさ以上の直径を有する第２の開口部を有し、前記中空部分に対応して前記側面の他方に貼り付けられた第２の粘着シートを備える
ことを特徴とする被記録媒体。
【請求項３】
請求項２に記載の被記録媒体において、 
前記第２の粘着シートの前記第２の開口部の直径は、前記第１の粘着シートの外径よりも小さい
ことを特徴とする被記録媒体。
【請求項４】
請求項１乃至３の何れか一項に記載の被記録媒体において、 
前記テープは中央部に、前記中空部分を有する所定の厚さの筒部材を備える
ことを特徴とする被記録媒体。
【請求項５】
請求項４に記載の被記録媒体において、 
前記第２の開口部の直径は、前記筒部材の外径のよりも小さく、前記筒部材の内径よりも大きい
ことを特徴とする被記録媒体。
【請求項６】
請求項１に記載の被記録媒体を収容するための媒体アダプタであって、
前記媒体アダプタに収容された前記被記録媒体が有する前記テープの前記中空部分に挿通される突出部を備え、
前記突出部は、
前記テープの前記中空部分の前記内径よりも小さく、且つ前記第１の開口部の前記直径よりも大きな外径の第１の突出部を有する
ことを特徴とする媒体アダプタ。
【請求項７】
請求項６に記載の媒体アダプタであって、
前記突出部は更に、
前記第１の突出部の先端面から延出した、前記第１の開口部の前記内径よりも小さな外径の第２の突出部を有する
ことを特徴とする媒体アダプタ。
【請求項８】
請求項７に記載の媒体アダプタにおいて、
底面を基準とした前記第１の突出部の高さは、前記テープの幅よりも低く、
前記底面を基準とした前記第２の突出部の高さは、前記テープの幅よりも高い
ことを特徴とする媒体アダプタ。
【請求項９】
請求項８に記載の媒体アダプタにおいて、
前記媒体アダプタは、予め決められた複数の幅のテープのうちの第１の幅のテープを収容するための媒体アダプタであり、
前記第１の突出部の高さは、前記第１の幅よりも短い第２の幅であって前記複数の幅に含まれる前記第２の幅よりも高い
ことを特徴とする媒体アダプタ。